(57)【要約】      （修正有）【課題】異なる機能性セラミックスを均等に配置し、液体とのエネルギー交換を容易なものとすることができる液体活性ボールカプセルを提供することを目的とする。【解決手段】開口部から液体が流入する樹脂製カプセル１１内に数種類の機能性セラミックスを充填した流体活性ボールカプセル１０であり、水道水等の液体を活性水とすることができる。【選択図】図１
0003109093.tif 000002
【実用新案登録請求の範囲】
【請求項１】
開口部から液体が流入する樹脂製カプセル内に数種類の機能性セラミックスを充填したことを特徴とする流体活性ボールカプセル。
【請求項２】
前記機能性セラミックスが光触媒セラミックスとマイナスイオン発生セラミックスであり、該光触媒セラミックスと該マイナスイオン発生セラミックスとを対とし前記樹脂製カプセル内に数組充填したことを特徴とする請求項１に記載の流体活性ボールカプセル。
【請求項３】
前記機能性セラミックスが多元素遠赤外線セラミックスとマイナスイオン発生セラミックスであり、該多元素遠赤外線セラミックスと該マイナスイオン発生セラミックスとを対とし前記樹脂製カプセル内に数組充填したことを特徴とする請求項１に記載の流体活性ボールカプセル。
【請求項４】
前記機能性セラミックスが略球形であり、かつ前記樹脂製カプセルが、両端縁を楕円形状に突出した円筒フレーム構造とし、開口部を設けたことを特徴とする請求項１〜４の何れかに記載の流体活性ボールカプセル。
【請求項５】
樹脂製カプセルが開口部を有し、両端縁を楕円形状に突出とした円筒フレーム構造とし、該樹脂製カプセルに異なる種類の略球形の高温焼結した機能性セラミックスを充填し、該機能性セラミックスの内、少なくとも一種がマイナスイオン発生セラミックスであり、他の種類の機能性セラミックスが、銀元素を含む光触媒セラミックスか又は多元素遠赤外線セラミックスであり、前記樹脂製カプセル内にこれらの異なった種類の機能性セラミックスを対として数組充填したことを特徴とする流体活性ボールカプセル。
【考案の詳細な説明】
【技術分野】
【０００１】
本考案は、液体の活性化、飲料水の還元処理、或いは酒，酢等の発酵食品の成長促進などに使用する液体活性ボールカプセルに関するものである。
【背景技術】
【０００２】
従来、機能性セラミックスには水道水を活性水或いは機能水とする働きがあることが知られている。これらの用途に使用される液体活性化セラミックスは、セラミックボール或いはガラスボール等のセラミック芯材に酸化チタン等の目的に応じた金属を塗布し４００℃内外の温度で焼成しコーティングしたのもである。
【０００３】
液体活性化セラミックスでは、例えば、図４（ａ）に示したように、機能性セラミックボール２或いは粉末状セラミックスを入れた袋をペットボトル容器１内に充填し、ペットボトル容器１内の水Ｗを活性化するなどの用途に使用するが、普通ペットボトル容器１内に数個の機能性セラミックボール２を投入しただけのものであった。
【０００４】
また、他の例としては、図４（ｂ）に示したような浄水ポット３がある。この浄水ポット３は、上層部４ａに活性炭と塩素除去材と充填し、下層部４ｂにポットにマイナスイオン発生セラミックスと天然珊瑚貝化石の微粒子とを袋に収納した浄水袋４がポット内に充填され、ポット内に投入された水道水が浄水袋４を通過するように組み込まれ、水を浄化すると同時にミネラル成分を補うことができるものであった（例えば，特許文献１参照）。
【０００５】
【特許文献１】特開２００４−０４１９４８号公報（明細書全文，図面図１）
【考案の開示】
【考案が解決しようとする課題】
【０００６】
しかし、液体活性化セラミックスが、ただ単純にペットボトル容器内に数個のセラミックボールが充填されている場合、近接するセラミックスが互いに流動し易く、セラミックス間の相互のエネルギー交換間隔を十分に確保することができず、セラミックス周辺の液体を長時間にわたって確実に活性化することができない欠点があった。また、浄水器に浄水袋を充填し、液体が浄水袋を通過するのみであり、液体活性化セラミックスとの接触時間が短く、液体を十分に活性化することができない欠点があった。
【０００７】
また、充填されているセラミックスは、隣接するセラミックスが単一性質のものであり、セラミックス相互間のエネルギー交換を確実に行うことができず、液体の活性化に有効な電子（ｅ−  ）、マイナスイオンエネルギー、或いは遠赤外線エネルギーを与えることができず、液体の活性化が不十分であるといった欠点があった。
【０００８】
また、使用されている液体活性化セラミックボールは、ガラスボールなどのセラミックス芯材に目的金属をコーティング塗布して４００℃内外の低温で焼結したものであり、このセラミックボールは互いに衝突してコーティング層が崩壊したり、コーティング層の自然剥離を避けることができないといった問題があった。
【０００９】
本考案は、上述のような課題に鑑みなされたものであって、異なる機能性セラミックスを均等に配置し、液体とのエネルギー交換を容易なものとすることができる液体活性ボールカプセルを提供することを目的とするものである。
【課題を解決するための手段】
【００１０】
本考案は、上記の目的を達成するためになされており、請求項１の考案は、開口部から液体が流入する樹脂製カプセル内に数種類の機能性セラミックスを充填したことを特徴とする流体活性ボールカプセルである。
【００１１】
また、請求項２の考案は、前記機能性セラミックスが光触媒セラミックスとマイナスイオン発生セラミックスであり、該光触媒セラミックスと該マイナスイオン発生セラミックスとを対とし前記樹脂製カプセル内に数組充填したことを特徴とする請求項１に記載の流体活性ボールカプセルである。
【００１２】
また、請求項３の考案は、前記機能性セラミックスが多元素遠赤外線セラミックスとマイナスイオン発生セラミックスであり、該多元素遠赤外線セラミックスと該マイナスイオン発生セラミックスとを対とし前記樹脂製カプセル内に数組充填したことを特徴とする請求項１に記載の流体活性ボールカプセルである。
【００１３】
また、請求項４の考案は、前記機能性セラミックスが略球形であり、かつ前記樹脂製カプセルが、両端縁を楕円形状に突出した円筒フレーム構造とし、開口部を設けたことを特徴とする請求項１〜４の何れかに記載の流体活性ボールカプセルである。
【００１４】
また、請求項５の考案は、樹脂製カプセルが開口部を有し、両端縁を楕円形状に突出とした円筒フレーム構造とし、該樹脂製カプセルに異なる種類の略球形の高温焼結した機能性セラミックスを充填し、該機能性セラミックスの内、少なくとも一種がマイナスイオン発生セラミックスであり、他の種類の機能性セラミックスが、銀元素を含む光触媒セラミックスか又は多元素遠赤外線セラミックスであり、前記樹脂製カプセル内にこれらの異なった種類の機能性セラミックスを対として数組充填したことを特徴とする流体活性ボールカプセルである。上記高温焼結した機能性セラミックスは、８５０℃以上の温度で焼結したものであり、好ましくは９００℃以上の高温で焼結したものを用いる。
【考案の効果】
【００１５】
請求項１の考案では、開口部から液体が流入する樹脂製カプセル内に数種類の機能性セラミックスを充填したことを特徴とする流体活性ボールカプセルであるので、数種類の機能性セラミックスをパッケージ化したものであり、例えば、マイナスイオン発生セラミックスと他の異なる種類の機能性セラミックスとが対に樹脂製カプセル内に規則正しく機能性セラミックスが充填され、樹脂製カプセル内に充填されてセラミックス相互間の作用によるエネルギー交換間隔を確実に保ち、長期間維持することができる利点があり、樹脂製カプセルの開口部からは液体（例えば、水道水）が流入して樹脂製カプセル内のマイナスイオン発生セラミックスと他の異なる機能性セラミックスとに接触し、確実に活性化（酸化還元電位の低い液体）することができる利点がある。また、機能性セラミックスが樹脂製カプセル内に収納されることによって、互いに激しく当接して衝撃が加わったとしても樹脂製カプセルが衝撃を緩和し、機能性を有するコーティング膜が剥離し難い利点がある。さらに、流体活性ボールカプセルには予め機能性セラミックスが対に充填されており、ペットボトル内に投入するのみで、異なる機能性セラミックスが互いに隣接して規則正しく配置できる利点があり、液体の活性化に効果的である。
【００１６】
また、本考案では、流体活性ボールカプセルが機能性セラミックスを樹脂製カプセルに充填したものであり、機能性セラミックスの取り扱いが簡便になる利点がある。また、樹脂製カプセルが開口部を有する籠状構造であるので、機能性セラミックスに液を十分に接触させることができ、活性水を生成し易い利点があるとともに、取り扱いが容易である利点がある。また、機能性セラミックスにミネラル成分を含有させることによって、水の活性化に加えてミネラル水とすることができる。また、殺菌性の金属イオンにより長期発酵食品に好適である。また、機能性セラミックスにより、水の塊（クラスター）の結合間隔を狭くすることにより比重を重くすることができる。
【００１７】
また、請求項２の考案では、前記機能性セラミックスが光触媒セラミックスとマイナスイオン発生セラミックスであり、該光触媒セラミックスと該マイナスイオン発生セラミックスとを対とし前記樹脂製カプセル内に数組充填したことを特徴とする請求項１に記載の流体活性ボールカプセルであるので、光触媒セラミックスは光の入射により電子（ｅ−  ）とホール（ｈ＋ ）とを発生し、液中の疎水性成分である有機物（脂肪質）を酸化して分解することができるし、水（Ｈ２  Ｏ）をホール（ｈ＋ ）による酸化反応により、水酸基ラジカル（ＯＨ）を生成し、水のクラスターを分解しする。また、マイナスイオン発生セラミックスは、電子放出現象によって水の酸化還元電位を低下させる。また、セラミックス相互に電子（ｅ−  ）が作用し、確実にセラミックス間とのエネルギーの交換が起こり、接する液体を確実に活性化させることができる。
【００１８】
また、請求項３の考案では、前記機能性セラミックスが多元素遠赤外線セラミックスとマイナスイオン発生セラミックスであり、該多元素遠赤外線セラミックスと該マイナスイオン発生セラミックスとを対とし前記樹脂製カプセル内に数組充填したことを特徴とする請求項１に記載の流体活性ボールカプセルであるので、発酵食品では、多元素遠赤外線セラミックスから放射される遠赤外線により発酵速度を促進させることが可能であり、また、水ではマイナスイオン発生セラミックスから放出される電子（ｅ−  ）による還元作用を促進し、液体を活性化（酸化還元電位を低下させる）することができ、水道水の酸化還元電位を天然水に近づけることができる。また、多元素による遠赤外線セラミックスであり、遠赤外線帯域を広くして機能性を高めることができる。
【００１９】
また、請求項４の考案では、前記機能性セラミックスが略球形であり、かつ前記樹脂製カプセルが、両端縁を楕円形状に突出した円筒フレーム構造とし、開口部を設けたことを特徴とする請求項１〜４の何れかに記載の流体活性ボールカプセルであるので、円筒フレーム構造の樹脂製カプセルに略球形の機能性セラミックスが収納され、樹脂製カプセルの両端縁は楕円形状で突出しており、機能性セラミックスが樹脂製カプセルに接触する面積を最少とし、かつ樹脂製カプセルの開口部から液体が流入して機能性セラミックスと接触し、液体を活性化することができる。
【００２０】
また、請求項５の考案では、樹脂製カプセルが開口部を有し、両端縁を楕円形状に突出とした円筒フレーム構造とし、該樹脂製カプセルに異なる種類の略球形の高温焼結した機能性セラミックスを充填し、該機能性セラミックスの内、少なくとも一種がマイナスイオン発生セラミックスであり、他の種類の機能性セラミックスが、銀元素を含む光触媒セラミックスか又は多元素遠赤外線セラミックスであり、前記樹脂製カプセル内にこれらの異なった種類の機能性セラミックスを対として数組充填したことを特徴とする流体活性ボールカプセルであるので、機能性セラミックスが、開口部を有する樹脂製カプセルに充填されており、ペットボトル内に流体活性ボールカプセルを多数充填したとしても互いに接触した際の衝撃を緩和することができるし、例えば８５０℃以上の高温で焼結されており、機能性膜としてのコーティング膜が簡単に剥離することがない利点がある。機能性セラミックスの焼結温度は、９００℃以上の高温が好ましい。また、光触媒セラミックスには、銀元素が混合されたものであり、殺菌効果を有し、食品などの長期保存に効果的である。機能性セラミックスが開口部を有する樹脂製カプセルで覆われており、適度な隙間が設けられ、液体との接触が良好である利点がある。
【考案を実施するための最良の形態】
【００２１】
以下、本考案に係る流体活性ボールカプセルの実施の形態について、図面を参照して説明する。図１，図２は本考案の実施形態を示す流体活性ボールカプセルであり、図１において、同図（ａ）は流体活性ボールカプセル１０の正面図を示し、同図（ｂ）は流体活性ボールカプセル１０に充填された略球形の半導体セラミックスＡとマイナスイオン発生セラミックスＢを示し、同図（ｃ）は空き樹脂製カプセル１１の収納部１２と収納蓋１３を開放した正面図を示し、同図（ｄ）が空き樹脂製カプセル１１（収納部１２）の側面図を示している。
【００２２】
また、図２において、同図（ａ）は流体活性ボールカプセル１０の正面図を示し、同図（ｂ）は流体活性ボールカプセル１０に充填されているマイナスイオン発生セラミックスＢと多元素遠赤外線セラミックスＣとを示し、同図（ｃ）は空き樹脂製カプセル１１の正面図である。なお、図１，図２の流体活性ボールカプセル１０の空き樹脂製カプセル１１は同一形状である。
【００２３】
図１，図２において、樹脂製カプセル１１に充填される半導体セラミックスＡ、マイナスイオン発生セラミックスＢ、多元素遠赤外線セラミックスＣは、機能性セラミックスと称せられるものであり、略球形のものが用いられる。半導体セラミックスＡは二酸化チタン・二酸化銀を含有する光触媒セラミックスであり、その組成の一例を示せば、２（Ｋ２Ｏ・３Ａｌ２Ｏ・６ＳｉＯ２）３（Ｋ２Ｏ・Ａｌ２Ｏ３・２ＳｉＯ２）ＴｉＯ２１／４  Ａｇ２Ｏの混焼物である。マイナスイオン発生セラミックスＢは静止状態でマイナスイオンを発生するセラミックスであり、その組成の一例を示せば、８（Ａｌ２Ｏ３・２ＳＯ２）１．５（Ｋ２Ｏ・Ａｌ２Ｏ３・６ＳｉＯ２  ）１（ＴｈＯ２・５ＳｉＯ２）の混焼物である。多元素遠赤外線セラミックスＣは遠赤外線を放射するセラミックスであり、その組成の一例を示せば、２（Ｋ２Ｏ・３Ａｌ２Ｏ・６ＳｉＯ２）（Ｎａ２Ｏ・２Ａｌ２Ｏ３・５ＳｉＯ２）４（３ＳｉＯ２・Ａｌ２Ｏ３）の混焼物である。
【００２４】
上記機能性セラミックスは８５０℃以上の温度で焼結したものであり、焼結温度は、９００以上がより好ましい。また、この機能性セラミックスは、上記組成を混合して焼結したものであってもよいし、ＳｉＯ２  を主体とするセラミックスボールに機能性を付与する金属酸化物の組成物を被覆して高温で焼結したものであってもよい。また、これらの機能性セラミックスは、球体のものが好ましいが、液体との接触面積を増すために、表面に凹凸又は突起物を多数設けた球体であってもよい。
【００２５】
次に、本実施形態の空き樹脂製カプセル１１について説明する。空き樹脂製カプセル１１は、両端縁を楕円形状に突出させた円筒フレーム構造であり、フレームＦ１，Ｆ２による籠状の収納部１２と収納蓋１３とからなる。収納部１２はフレームＦ１が端縁で十字に交差して楕円状に湾曲して筒状に延在しフランジ部１２ｂに接続されている。また、収納蓋１３はフレームＦ２が端縁で十字に交差して楕円状に湾曲して筒状に延在しフランジ部１３ｂに接続され、フランジ部１３ｂに嵌合部１３ｃが設けられている。樹脂製カプセル１１は開口部を有する籠状の収納構造である。収納部１２と収納蓋１３とに機能性セラミックスが充填されて収納部１２のフランジ部１２ｂに収納蓋１３の嵌合部１３ｃとが嵌合して接着される。なお、空き樹脂製カプセル１１の材質としては、ポリエチレン樹脂，ポリプロピレン樹脂等が用いられる。
【００２６】
図１の流体活性ボールカプセル１０は、空き樹脂製カプセル１１に、半導体セラミックス（光触媒セラミックス）Ａとマイナスイオン発生セラミックスＢとが対に充填されている。また、図２の流体活性ボールカプセル１０は、空き樹脂製カプセル１１に、マイナスイオン発生セラミックスＢと多元素遠赤外線セラミックスＣとが対に充填されている。なお、図１，図２では異なる機能性セラミックスを対として２組が充填されているが、それ以上の組数であってもよい。
【００２７】
次に、流体活性ボールカプセル１０の使用方法の一例について、図３を参照して説明する。図３において、図１の流体活性ボールカプセルを１０Ａとし、図２の流体活性ボールカプセルを１０Ｂとする。流体活性ボールカプセル１０Ａ，１０ＢをペットボトルＰに投入し、水道水を注ぎ込む。水道水は流体活性ボールカプセル１０Ａ，１０Ｂの開口部から水が自由に侵入して機能性セラミックスが浸される。流体活性ボールカプセル１０Ａ，１０Ｂは、ポリエチレン樹脂等で成型されており、機能性セラミックス単体よりも比重が軽くなり、機能性セラミックス単体の場合、容器の底に沈んだ状態となるが、樹脂製カプセル１１の比重が軽いために流体活性ボールカプセル１０Ａ，１０Ｂの流動性が増し、ペットボトルＰを揺動させることによって、撹拌効果が増し、水道水との接触が良好なものとなり、水道水を活性化する。なお、図３では、流体活性ボールカプセル１０Ａ，１０Ｂがそれぞれ１個ずつが投入されているが、これに限定するものではなく、処理液の容量に応じて投入すればよい。
【００２８】
半導体セラミックス（光触媒セラミックス）Ａは、二酸化チタン及び銀を含むものであり、光がペットボトルＰ内に入射して二酸化チタンから電子（ｅ−  ）が放出され、光触媒作用が働き、水（Ｈ２Ｏ）に作用して活性化するとともに、銀イオンによる抗菌生成水とする。液中に含まれる脂肪質（疎水性成分）の水素成分をＨ２  Ｏとし、炭素成分をＣＯ２  に分解効果がある。また、マイナスイオン発生セラミックスＢは、マイナスイオンを発生して同様に作用し、水道水を活性化する。また、水道水に含まれる有機物成分を電子（ｅ−  ）とマイナスイオンにより分解し、水道水は活性化する。また、多元素遠赤外線セラミックスＣは、遠赤外線を放射するセラミックスであり、液中に含まれる脂肪質（疎水性成分）の分解効果がある。なお、活性化とは、水の酸化還元電位を低下させることを意味し、水道水を天然水の酸化還元電位に近づけることができる。
【００２９】
また、発酵食品類では、流体活性ボールカプセル１０Ａ，１０Ｂの混入比率を流体活性ボールカプセル１０Ｂを多くすることによって、多元素遠赤外線セラミックスＣの投入量を増やし、酸素の発生を抑制して嫌気性菌の増殖を促し、発酵の促進を図るのに有効である。光触媒セラミックスには銀元素が含有し、銀イオンによる殺菌効果を有する。
【００３０】
本考案の流体活性ボールカプセルにより水道水を処理して活性水とし、この活性水を体内の活性酸素と結びついて血液をサラサラ血にし、基礎代謝エネルギーを高めることでメラトニンを多く消費して成長ホルモンが大量に発生し、体内に蓄積した脂肪分を分解することができる効果を得ることができる。
【産業上の利用可能性】
【００３１】
本考案の活用例としては、水道水の活性化或いは還元処理して活性水・機能水・還元水を生成することができるし、酒，酢等の発酵食品の成長促進などに使用することができるし、長期保存に利用することができる。また、ミネラル分を多く含む機能性セラミックスの場合、水を活性化するとともにミネラル成分が溶出してミネラル水を生成することができる。
【図面の簡単な説明】
【００３２】
【図１】（ａ）は本考案に係る液体活性ボールカプセルの実施形態を示す正面図、（ｂ）は半導体セラミックスとマイナスイオン発生セラミックスを示す図、（ｃ）は空き樹脂製カプセルの正面図、（ｄ）は空き樹脂製カプセルの側面図である。
【図２】（ａ）は本考案に係る液体活性ボールカプセルの実施形態を示す正面図、（ｂ）は多元素遠赤外線セラミックスとマイナスイオン発生セラミックスを示す図、（ｃ）は空き樹脂製カプセルの正面図である。
【図３】本実施形態の液体活性ボールカプセルの使用方法の一例を示す図である。
【図４】（ａ）はペットボトルに機能性セラミックスを投入した図であり、（ｂ）は浄水器を示し断面図である。
【符号の説明】
【００３３】
１０  液体活性ボールカプセル
１１  樹脂製カプセル
１２  収納部
１３  収納蓋
１２ａ，１３ａ  端縁
１２ｂ，１３ｂ  フランジ部
１３ｃ  嵌合部
【図１】
0003109093.tif 000003
【図２】
0003109093.tif 000004
【図３】
0003109093.tif 000005
【図４】
0003109093.tif 000006
【手続補正書】
【提出日】平成17年1月13日(2005.1.13)
【手続補正１】
【補正対象書類名】実用新案登録請求の範囲
【補正対象項目名】請求項４
【補正方法】変更
【補正の内容】
【請求項４】
前記機能性セラミックスが略球形であり、かつ前記樹脂製カプセルが、両端縁を楕円形状に突出した円筒フレーム構造とし、開口部を設けたことを特徴とする請求項１〜３の何れかに記載の流体活性ボールカプセル。
【手続補正２】
【補正対象書類名】明細書
【補正対象項目名】００１３
【補正方法】変更
【補正の内容】
【００１３】
また、請求項４の考案は、前記機能性セラミックスが略球形であり、かつ前記樹脂製カプセルが、両端縁を楕円形状に突出した円筒フレーム構造とし、開口部を設けたことを特徴とする請求項１〜３の何れかに記載の流体活性ボールカプセルである。
【手続補正３】
【補正対象書類名】明細書
【補正対象項目名】００１９
【補正方法】変更
【補正の内容】
【００１９】
また、請求項４の考案では、前記機能性セラミックスが略球形であり、かつ前記樹脂製カプセルが、両端縁を楕円形状に突出した円筒フレーム構造とし、開口部を設けたことを特徴とする請求項１〜３の何れかに記載の流体活性ボールカプセルであるので、円筒フレーム構造の樹脂製カプセルに略球形の機能性セラミックスが収納され、樹脂製カプセルの両端縁は楕円形状で突出しており、機能性セラミックスが樹脂製カプセルに接触する面積を最少とし、かつ樹脂製カプセルの開口部から液体が流入して機能性セラミックスと接触し、液体を活性化することができる。